(57)【特許請求の範囲】
【請求項１】
（ａ）下記一般式（１）で表される非イオン界面活性剤２０〜３５重量％、（ｂ）含水率が１０％未満であるアニオン界面活性剤５〜２０重量％、（ｃ）完全水溶型の金属イオン捕捉ビルダー３〜２０重量％、及び（ｄ）珪酸ナトリウム分が７０〜１００重量％であり、ＳｉＯ2／Ｎａ2Ｏの比率が１／１〜１／２である珪酸ナトリウム５〜５０重量％を含有することを特徴とするリネンサプライ用高密度粒状洗剤組成物。
ＲＯ（Ｃ2Ｈ4Ｏ）nＨ                    （１）
（式中、Ｒは炭素数８〜２２のアルキル基、アルケニル基、アルキルアリール基を表し、ｎは５〜１５を表す。）
【請求項２】
請求項１記載の（ａ）、（ｂ）、（ｃ）及び（ｄ）の合計量が５０〜１００重量％であり、且つ｛（ａ）＋（ｂ）＋（ｃ）｝／（ｄ）の重量比が１／１〜１０／１で有ることを特徴とするリネンサプライ用高密度粒状洗剤組成物。
【請求項３】
（ａ）下記一般式（１）で表される非イオン界面活性剤２０〜３５重量％、（ｂ）含水率が１０％未満であるアニオン界面活性剤５〜２０重量％、（ｃ）完全水溶型の金属イオン捕捉ビルダー３〜２０重量％、及び（ｄ）珪酸ナトリウム分が７０〜１００重量％であり、ＳｉＯ2／Ｎａ2Ｏの比率が１／１〜１／２である珪酸ナトリウム５〜５０重量％を含有する洗剤組成物を、混合して造粒することを特徴とするリネンサプライ用高密度粒状洗剤組成物の製造方法。
ＲＯ（Ｃ2Ｈ4Ｏ）nＨ                    （１）
（式中、Ｒは炭素数８〜２２のアルキル基、アルケニル基、アルキルアリール基を表し、ｎは５〜１５を表す。）
【発明の詳細な説明】
【０００１】
【発明の属する技術分野】
本発明は、リネンサプライ用高密度粒状洗剤組成物に関し、更に詳しくは、リネンサプライにおいて使用される水に由来する鉄イオンやマンガンイオンが被洗物に対して弊害を起こすことを抑制し、且つ洗剤組成物の少量の使用量でも高い洗浄力を得ることができるリネンサプライ用高密度粒状洗剤組成物に関するものである。
【０００２】
【従来の技術】
従来のリネンサプライ用高密度粒状洗剤組成物には、一般に、カルシウムイオンを捕捉する目的でビルダーが使用され、またアルカリ成分として炭酸または炭酸水素のアルカリ金属塩が使用されている。
【０００３】
しかしながら、リネンサプライにおいては、カルシウムイオンよりも鉄イオンやマンガンイオンが被洗物の繊維に対して弊害を及ぼすことが多く問題となっている。具体的には、繊維への弊害としては、リネンサプライでは品物を繰り返し洗濯して使用するために、洗濯時に使用される水に由来する鉄イオンやマンガンイオンのような有色金属が繊維へ蓄積し、空気酸化や乾燥時の酸化により繊維を着色したり、くすみを生じさせたりすることが挙げられる。また、洗濯時に使用する過酸化水素、過炭酸ナトリウムなどの酸素系漂白剤は、繊維上に鉄イオンが存在すると局部的な分解を起こし、繊維にピンホールを生じさせることも知られている。
【０００４】
更に、アルカリ成分として炭酸または炭酸水素のアルカリ金属塩を使った従来の高密度粒状洗剤組成物では、洗剤の使用量が少ないと充分な洗浄力が得られないという問題もあった。
【０００５】
【発明が解決しようとする課題】
本発明は、鉄イオンやマンガンイオン付着による繊維への弊害を防止し、また少量の使用量でも充分な洗浄性を発揮するリネンサプライ用高密度粒状洗剤組成物を提供することを目的とするものである。さらに該リネンサプライ用高密度粒状洗剤組成物の製造方法を提供することを目的とするものである。
【０００６】
【課題を解決するための手段】
本発明者らは、上記課題を解決するため鋭意研究を重ねた結果、非イオン界面活性剤、アニオン界面活性剤、完全水溶型の鉄イオンやマンガンイオンの捕捉ビルダー及び珪酸ナトリウムを規定範囲の割合で配合した洗剤組成物を用いれば、鉄イオンやマンガンイオンの付着による繊維への弊害を抑制することができ、また少量の使用量でも充分な洗浄性を発揮できることを見出し、係る知見に基づき本発明を完成させたものである。
【０００７】
すなわち、本発明は、（ａ）下記一般式（１）で表される非イオン界面活性剤２０〜３５重量％の範囲で、また、（ｂ）含水率が１０％未満であるアニオン界面活性剤５〜２０重量％の範囲で、また（ｃ）完全水溶型の金属イオン捕捉ビルダー３〜２０重量％の範囲で、及び（ｄ）珪酸ナトリウム分が７０〜１００重量％であり、ＳｉＯ2／Ｎａ2Ｏの比率が１／１〜１／２である珪酸ナトリウム５〜５０重量％の範囲で含有することを特徴とするリネンサプライ用高密度粒状洗剤組成物を提供するものである。
【０００８】
ＲＯ（Ｃ2Ｈ4Ｏ）nＨ                    （１）
（式中、Ｒは炭素数８〜２２のアルキル基、アルケニル基、アルキルアリール基を表し、ｎは５〜１５を表す。）
また、本発明に係るリネンサプライ用高密度粒状洗剤組成物は、（ａ）下記一般式（１）で表される非イオン界面活性剤と、（ｂ）含水率が１０％未満であるアニオン界面活性剤と、（ｃ）完全水溶型の金属イオン捕捉ビルダーと、（ｄ）珪酸ナトリウム分が７０〜１００重量％であり、ＳｉＯ2／Ｎａ2Ｏの比率が１／１〜１／２である珪酸ナトリウムとを含有するものであり、かつ前記成分（ｄ）を１００重量部として表現した場合、前記成分（ａ）が１００〜４００重量部（より好ましくは１４０〜３５０重量部）、前記成分（ｂ）が５０〜４００重量部（より好ましくは５０〜２００重量部）、前記成分（ｃ）が５０〜４００重量部（より好ましくは５０〜２００重量部）であることを特徴とするリネンサプライ用高密度粒状洗剤組成物を提供するものである。
【０００９】
ＲＯ（Ｃ2Ｈ4Ｏ）nＨ                    （１）
（式中、Ｒは炭素数８〜２２のアルキル基、アルケニル基、アルキルアリール基を表し、ｎは５〜１５を表す。）
また、本発明は、前記本発明に係るリネンサプライ用高密度粒状洗剤組成物の製造方法を提供するものである。
【００１０】
以下、本発明を実施の形態に基づいて詳細に説明する。
【００１１】
【発明の実施の形態】
（リネンサプライ用高密度粒状洗剤組成物）
本発明に係るリネンサプライ用高密度粒状洗剤組成物は、（ａ）成分として非イオン界面活性剤と、（ｂ）成分としてアニオン界面活性剤と、（ｃ）成分として完全水溶型の鉄イオンやマンガンイオンの捕捉ビルダーと、及び（ｄ）成分として珪酸ナトリウムとを必須の成分とし、さらにこれらの成分を規定範囲の割合で配合したものである。また、本発明に係るリネンサプライ用高密度粒状洗剤組成物は、上記必須成分（ａ）〜（ｄ）に加えて、さらに必要に応じて適宜選択された他成分を加えたものも含まれる。
【００１２】
（ａ）成分
本発明で用いられる（ａ）成分の上記一般式（１）で表される非イオン界面活性剤は特に限定されることなく、通常の市販品を使用することが可能である。また、通常公知の合成方法に従い合成することも可能である。具体的には、炭素数８〜２２のアルコールまたはアルキルフェノールを原料にして、アルカリ触媒の存在下でエチレンオキサイドを５〜１５モル付加することにより得られる。ここで、アルコールのアルキル基、アルケニル基は直鎖、側鎖を持つものいずれでもよく、例えば、オクチルアルコール、２−エチルヘキシルアルコール、ノニルアルコール、デシルアルコール、ウンデシルアルコール、ラウリルアルコール、トリデシルアルコール、ミリスチルアルコール、セチルアルコール、ステアリルアルコール、ベヘニルアルコール、オレイルアルコールなどが挙げられ、アルキルフェノールとしては、オクチルフェノール、ノニルフェノール、ドデシルフェノールなどが挙げられる。
【００１３】
本発明においては特に、デシルアルコール、ウンデシルアルコール、ラウリルアルコール、トリデシルアルコール、ミリスチルアルコールにエチレンオキサイドを平均付加モル数で７〜１２モル付加させたものが好適に用いられる。さらに、本発明においては、これらの非イオン界面活性剤を１種を単独で、または２種以上を組み合わせて用いることが可能である。
【００１４】
係る（ａ）成分の使用量は、リネンサプライ用高密度粒状洗剤組成物（成分（ａ）〜（ｄ）からなる組成物として）中に、２０〜３５重量％の範囲で用いることが好ましい。
【００１５】
また、リネンサプライ用高密度粒状洗剤組成物中の（ａ）成分の定性分析、又はリネンサプライ用高密度粒状洗剤組成物中の（ａ）成分の定量分析方法については特に限定されず、通常公知の非イオン界面活性剤分析方法が使用可能である。具体的には、ＪＩＳ  Ｋ  ３３６２に記載の非イオン界面活性剤の定性及び定量の方法が挙げられる。
【００１６】
（ｂ）成分
本発明で用いられる（ｂ）成分のアニオン界面活性剤としては特に限定されることなく、含水率が１０％未満であるアニオン界面活性剤であれば好ましく用いることが可能である。具体的には、炭素数８〜１６のアルキル基を有する直鎖アルキルベンゼンスルホン酸塩、炭素数８〜２２のα-オレフィンスルホン酸塩、炭素数８〜２２の脂肪酸石鹸、炭素数８〜２２のアルキル硫酸エステル塩の使用が好ましい。
【００１７】
ここで含水率が１０％未満が好ましい理由は、アニオン界面活性剤の含水率が１０％を超えるとリネンサプライ用高密度粒状洗剤組成物の製品外観にべたつきを生じ、乾燥工程を必要とするようになり、簡単なブレンダーによる攪拌だけでは製造が困難となるからである。また含水率を１０％未満とするには通常公知の乾燥方法、脱水方法が使用可能である。含水率が１０％未満であることは、通常公知の水分測定方法が使用可能であり、具体的にはＪＩＳ  Ｋ  ３３６２に記載の水分の定量方法で加熱減量法、蒸留法、カールフィッシャー法などが挙げられる。
【００１８】
さらに、本発明においては、これらのアニオン界面活性剤を１種を単独でも、または２種以上を組み合わせても用いることが可能である。
【００１９】
さらに、好ましい使用量としては、リネンサプライ用高密度粒状洗剤組成物（成分（ａ）〜（ｄ）からなる組成物として）中に５〜２０重量％の範囲で用いることが可能である。
【００２０】
また、リネンサプライ用高密度粒状洗剤組成物中の（ｂ）成分の定性分析、又はリネンサプライ用高密度粒状洗剤組成物中の（ｂ）成分の定量分析方法については特に限定されず、通常公知のアニオン界面活性剤分析方法が使用可能である。具体的には、ＪＩＳ  Ｋ  ３３６２に記載のアニオン界面活性剤の定性及び定量の方法が挙げられる。
【００２１】
（ｃ）成分
本発明で用いられる（ｃ）成分の金属イオン捕捉ビルダーは、完全水溶型のものが特に好ましい。すなわち、完全水溶型のものでない場合（例えば不溶性ビルダーであるゼオライトのようなアルミノ珪酸塩）は、リネンサプライのような高温での洗濯を繰り返す条件下では、洗濯機械や配管に該不溶性ビルダー由来のスケールが付着しやすくなり、その結果、被洗物を汚したり、配管を詰まらせることがあるからである。
【００２２】
本発明において好ましく使用可能な完全水溶型の金属イオン補足ビルダー（特にリネンサプライで問題となる鉄イオンやマンガンイオンの捕捉ビルダー）としては、具体的には、エチレンジアミン四酢酸塩、ニトリロ三酢酸塩、グルコン酸塩、トリポリ燐酸塩などが挙げられる。本発明においては、これらの完全水溶型の金属イオン補足ビルダー１種を単独で、または２種以上を組み合わせて用いることも可能である。
【００２３】
さらに、好ましい使用量としては、リネンサプライ用高密度粒状洗剤組成物（成分（ａ）〜（ｄ）からなる組成物として）中に３〜２０重量％の範囲で用いることが可能である。
【００２４】
また、リネンサプライ用高密度粒状洗剤組成物中の（ｃ）成分の定性分析、又はリネンサプライ用高密度粒状洗剤組成物中の（ｃ）成分の定量分析方法については特に限定されず、通常公知の金属イオン補足ビルダーの分析方法が使用可能である。具体的には、ＪＩＳ  Ｋ  ８１０７に記載のエチレンジアミン四酢酸塩の分析方法や油化学（第２４巻第６号３８５〜３８８頁（１９７５））に記載のニトリロ三酢酸塩の定量方法などが挙げられる。
【００２５】
（ｄ）成分
本発明で用いられる（ｄ）成分の珪酸ナトリウムは、ＳｉＯ2／Ｎａ2Ｏの配合比率が１／１〜１／２の範囲のものであり、珪酸ナトリウム分が７０〜１００重量％のものである。係る珪酸ナトリウムとしては、例えば、無水メタ珪酸ナトリウム、セスキ珪酸ナトリウム、オルソ珪酸ナトリウムなどが挙げられる。本発明においては、これらの珪酸ナトリウムは、１種を単独で、または２種以上を組み合わせて用いることが可能である。
【００２６】
さらに、好ましい使用量としては、リネンサプライ用高密度粒状洗剤組成物（成分（ａ）〜（ｄ）からなる組成物として）中に５〜５０重量％の範囲で用いることが可能である。
【００２７】
また、リネンサプライ用高密度粒状洗剤組成物中の（ｄ）成分の定性分析、又はリネンサプライ用高密度粒状洗剤組成物中の（ｄ）成分の定量分析方法については特に限定されず、通常公知の珪酸ナトリウムの分析方法が使用可能である。具体的には、ＪＩＳ  Ｋ  ３３６２に記載の珪酸塩の定量方法やＪＩＳ  Ｋ  １４０８に記載の珪酸ナトリウムの試験方法などが挙げられる。
【００２８】
｛（ａ）＋（ｂ）＋（ｃ）｝と（ｄ）の比
さらに本発明に係るリネンサプライ用高密度粒状洗剤組成物において、上記（ａ）、（ｂ）、（ｃ）及び（ｄ）成分の合計量のリネンサプライ用高密度粒状洗剤組成物中に占める割合が５０〜１００重量％であって、（ａ）、（ｂ）及び（ｃ）成分の合計量に対する（ｄ）成分量の比率、すなわち｛（ａ）＋（ｂ）＋（ｃ）｝／（ｄ）の重量比が１／１〜１０／１で有ることが好ましい。
【００２９】
すなわち、（ａ）、（ｂ）、（ｃ）及び（ｄ）成分の合計量のリネンサプライ用高密度粒状洗剤組成物中に占める割合が５０重量％より少ない場合は、その他の成分が５０重量％以上含まれることになり、十分な金属イオンの捕捉効果が得られず、また洗浄効果も十分ではない。
【００３０】
また、｛（ａ）＋（ｂ）＋（ｃ）｝と（ｄ）との重量比において、あまりに成分（ｄ）が多い場合は十分な金属イオンの捕捉効果が得られず、また洗浄効果も十分ではない。さらに、｛（ａ）＋（ｂ）＋（ｃ）｝と（ｄ）との重量比において、あまりに成分（ｄ）が少ない場合は、十分な洗浄効果を得るためには大量の洗剤を必要とする。
【００３１】
他成分
さらに本発明のリネンサプライ用高密度粒状洗剤組成物には、上記（ａ）、（ｂ）、（ｃ）及び（ｄ）成分の他に、従来より洗剤の成分として用いられている種々の成分を添加して使用することが可能である。係る他成分としては、例えば、炭酸または炭酸水素のアルカリ金属塩などのアルカリビルダー、蛋白質分解酵素（プロテアーゼ）、脂質分解酵素（リパーゼ）、澱粉加水分解酵素（アミラーゼ）や繊維素分解酵素（セルラーゼ）などの酵素、メチルセルロース、ヒドロキシエチルセルロース、カルボキシメチルセルロースやポリエチレングリコールなどの再汚染防止剤、芒硝、香料、蛍光増白剤、漂白剤などの配合が上げられる。
【００３２】
さらに、これらの他成分を単一、または複数を組合せて用いることが可能である。係る他成分は、本発明に係るリネンサプライ用高密度粒状洗剤組成物の効果を十分に発揮させるために、５０重量％以下で使用することが好ましい。
【００３３】
（リネンサプライ用高密度粒状洗剤組成物製造方法）
本発明のリネンサプライ用高密度粒状洗剤組成物の製造方法については特に限定されず、上記（ａ）、（ｂ）、（ｃ）及び（ｄ）成分、所望により従来より洗剤の成分として用いられている他成分の規定量を配合し、簡単な混合釜などの攪拌装置により撹拌することにより容易に製造可能である。
【００３４】
この際、上記（ａ）、（ｂ）、（ｃ）及び（ｄ）成分から混入してくる水分以外に水を一切添加しないで撹拌することで、高密度粒状の洗剤組成物を得ることができる。具体的にはリボンミキサー、ナウターミキサー等が挙げられる。
【００３５】
【実施例】
次に、実施例により本発明を更に説明するが、本発明はこれらの実施例により何ら限定されるものではない。
【００３６】
（実施例１）
混合釜に、ラウリルアルコールエチレンオキサイド９モル付加物３０重量部、炭素数１４〜１８のα−オレフィンスルホン酸ナトリウム２０重量部、ニトリロ三酢酸ナトリウム１０重量部、グルコン酸ナトリウム１０重量部、オルソ珪酸ナトリウム１０重量部、炭酸ナトリウム２０重量部を仕込み、撹拌して混合し、リネンサプライ用高密度粒状洗剤組成物を得た。
【００３７】
（実施例２〜８及び比較例１〜３）
実施例１と同様の方法で、表１に示す各成分を使用して実施例２〜８及び比較例１〜３を得た。
【００３８】
【表１】
0003640523.tif 000002
また、実施例及び比較例の評価は以下のように行った。
【００３９】
１．洗浄試験
試験布として人工汚染布、綿ワイン汚染布、綿血液汚染布を用いて下記の洗濯方法で洗濯を行った後、使用した試験布の反射率（％）を反射率計（色彩計ＣＭ−５３Ｄ型：村上色彩技術研究所製）を用いて測定した。
【００４０】
ここで洗濯後の試験布の反射率の値が大きいほど、洗浄性が良好であると判定した。反射率の測定結果を表２に示す。
【００４１】
洗濯方法
ラウンダ・オ・メーターのポットに、試験布、助剤としてメタ珪酸ナトリウム９水塩０．１重量％、漂白剤として３５重量％−過酸化水素水０．１重量％、洗剤（実施例１〜８の洗剤については０．０２５重量％、比較例１〜３の洗剤については０．１重量％）、及び水を浴比が１：２０となるように加え、６０℃で１０分間洗濯した後、２分間濯ぎ、風乾して反射率の測定に供した。なお、試験に供した汚染布は次のものを用いた。
【００４２】
人工汚染布
ミリスチン酸１０．４ｇ、パルミチン酸１．４ｇ、オレイン酸３．８ｇ、牛脂硬化油８．１ｇ、オリーブ油８．１ｇ、コレステロール４．３ｇ、コレステロールステアレート０．９ｇ、パラフィンワックス５．２ｇ、スクワレン５．２ｇ、カーボン０．５ｇ、関東ローム層４７．４ｇ及び四三酸化鉄４．７ｇを１,１,１−トリクロロエタン１０リットルに分散した溶液に綿布を浸漬後、マングルで絞り（Pick up＝１００％）、風乾することにより作製した。この人工汚染布の反射率は３０％であった。また、綿ワイン汚染布及び綿血液汚染布は以下に示す市販品を用いた。
【００４３】
綿ワイン汚染布（ＥＭＰＡ社製）：反射率５０％
綿血液汚染布（ＥＭＰＡ社製）：反射率１５％
【００４４】
【表２】
0003640523.tif 000003
【００４５】
実施例１〜８の洗剤を用いたものは、比較例１〜３の洗剤を用いたものに比較して、使用量が４分の１にもかかわらず、同等もしくはそれ以上の洗浄性を有していることが示された。
【００４６】
２．鉄イオン封鎖性試験
ビーカーに、洗剤として、実施例１〜８の洗剤の場合には０．０２５重量％、比較例１〜３の洗剤の場合には０．１重量％をとり、アルカリ剤として水酸化ナトリウム０．２重量％を含有する水溶液２００ｇをとり、これに鉄イオン２ｐｐｍを加えて（硫酸鉄７水塩にて調整）、９０℃で３０分間保持した後、綿ブロード布（白布）にて吸引濾過し、白布への付着（変色）の状態を評価した。評価は、５級（付着無し）〜１級（付着多い）までの５段階で評価した。付着の無いものが鉄イオン封鎖性が良好と判断した。得られた評価結果を表３に示した。
【００４７】
【表３】
0003640523.tif 000004
【００４８】
実施例１〜８の洗剤を用いたものは、比較例１〜３の洗剤を用いたものに比較して、使用量が４分の１にもかかわらず、鉄イオン封鎖性が良好であることが示された。
【００４９】
３．実機による洗濯試験
実施例１、比較例１の洗剤を用い、表４で示される薬剤使用量で、連続洗濯機（機械負荷量：５０ｋｇ、１４槽、サイクル時間：９０秒）による洗濯試験を行った。１回の洗濯試験を、洗濯→濯ぎ→プレス脱水→乾燥として、８回繰り返した。水は、全硬度３３ppm、鉄イオン０.４２ppm、マンガンイオン０.０１ppm以下の水を使用した。評価布として平均反射率が８５．５％の綿１００％の白シーツ（測定数＝５０、σ＝０．１）を半分に切断し、実施例１と比較例１の処方に各々の被洗物と同時に洗濯し、１回〜８回の乾燥後の反射率（％）を反射率計（色彩計ＣＭ−５３Ｄ型：村上色彩技術研究所製）を用いて測定した（測定数＝２５の平均値）。
【００５０】
反射率の値が大きい程、白さが維持されていると判断した。得られた評価結果を表５に示した。
【００５１】
【表４】
0003640523.tif 000005
【００５２】
【表５】
0003640523.tif 000006
【００５３】
実施例１の洗剤を用いたものは、比較例１の洗剤を用いたものに比較して、使用量が４分の１にもかかわらず白さを維持しており、比較例１では回数を重ねる毎に白さが低下することが示された。
【００５４】
【発明の効果】
本発明のリネンサプライ用高密度粒状洗剤組成物を用いれば、鉄イオンやマンガンイオンの繊維への付着を防止し、鉄イオンやマンガンイオンに起因する繊維のくすみやピンホールの発生を抑制することができると共に、優れた洗浄性を得ることができる。